(57)【要約】【課題】ＤＡＢ放送波に適した受信信号レベルを知ることができるＤＡＢ受信機を提供する。【解決手段】ビタビ復号部４のエラーレート検出手段６の出力のエラーレート値６−１がある所定の値を上回る場合には受信信号を妨害波とみなして受信信号無しとし、前記エラーレート値が前記ある所定の値を下回り０となるまでの間は、前記エラーレート値を第１の所定の段階に分割して第１の範囲の受信信号レベルに変換し、前記エラーレート値が０の範囲においては、チューナ部２の受信信号強度検出手段５の出力の受信信号強度５−１を第２の所定の段階に分割して、第１の範囲に続いた第２の範囲の受信信号レベルに変換して表示部１２で表示する。【選択図】図１
2006067186.tif 000002
【特許請求の範囲】
【請求項１】
受信機に入来するＤＡＢ放送波の受信信号強度を検出する受信信号強度検出手段を備えたチューナと、
前記チューナにより生成された中間周波数帯の信号を復調するＯＦＤＭ復調部と、
前記ＯＦＤＭ復調部により復調された信号のエラーレート値を検出するエラーレート検出手段を備えたビタビ復号部と、
前記受信信号強度検出手段で検出された受信信号強度と前記エラーレート検出手段で検出されたエラーレート値とを共に用いて所定の手段で受信信号レベルに変換する制御部とを具備し、
前記所定の手段とは、前記エラーレート値がある所定の値を上回る場合には受信信号を妨害波とみなして受信信号無しとし、
前記エラーレート値が前記ある所定の値を下回り０となるまでの間は、前記エラーレート値を第１の所定の段階に分割して第１の範囲の受信信号レベルに変換し、
前記エラーレート値が０となった場合は、前記受信信号強度を第２の所定の段階に分割して、第１の範囲に続いた第２の範囲の受信信号レベルに変換することを特徴としたＤＡＢ放送受信機。
【請求項２】
前記変換された第１の範囲の受信信号レベルと第２の範囲の受信信号レベルとを表示する表示部を更に備えた請求項１記載のＤＡＢ放送受信機。
【発明の詳細な説明】
【技術分野】
【０００１】
本発明は、放送波の受信信号強度とエラーレート値により、受信信号レベルを適切に表示することができるＤＡＢ（Ｄｉｇｉｔａｌ  Ａｕｄｉｏ  Ｂｒｏａｄｃａｓｔｉｎｇ）放送受信機に関するものである。
【背景技術】
【０００２】
近年、欧米を中心に地上波デジタル音声放送を提供するプロジェクトが盛んになりつつある。かかるプロジェクトの一つである欧州のＤＡＢ（Ｄｉｇｉｔａｌ  Ａｕｄｉｏ  Ｂｒｏａｄｃａｓｔｉｎｇ）は、ほぼ西欧諸国全体をサービスエリアとし、カナダや一部アジア諸国にも徐々に広がりつつある。
【０００３】
従来、受信信号レベルを適切に表示するデジタル放送受信装置には、入力電界強度と、エラーレート値から変換した受信信号品位を同時に表示することを特徴とするデジタル放送受信装置が知られている（特許文献１参照）。
【０００４】
また、特許文献１の第８の実施の形態には、デジタル衛星放送受信機に対し、ＡＧＣ電圧による入力レベルと、エラーレートによる受信信号品位の両データを合成してデジタル信号品位として表示する実施例が述べられている。
【特許文献１】特許第３２７２２４６号公報
【発明の開示】
【発明が解決しようとする課題】
【０００５】
このような従来のデジタル放送受信装置において、解決しようとする課題は、入力電波のＤＲ（ダイナミックレンジ）が小さい衛星放送受信機においては、チューナにおいて発生するＡＧＣ電圧を利用して電界強度信号に使用する場合、比較的良好な直線性が得られるが、地上波を伝送媒体としたＤＡＢでは入力電波のＤＲが大きいため、信号品質を確保するために、ＡＧＣ回路を複数用いてＤＡＢ放送受信機を実現している。したがって、上述のＡＧＣ回路の出力を利用した場合、直線性が悪く、入力電界強度を知るには不適切である。
【０００６】
また上述の特許文献１における実施形態では、エラーレートが極めて大きい場合にもＡＧＣ電圧を利用して受信レベル表示を行っているが、そのような場合、実際には受信信号が妨害波等希望するＤＡＢ放送波ではない場合が多く、受信信号レベルとして表示することは適当ではない。
【０００７】
さらに上述の実施形態では、エラーレート値が０でない場合にもＡＧＣ電圧を利用して受信レベル表示を行っているが、そのような場合、例え受信信号強度が大きくても、信号品位としてはエラーフリーではないため、受信信号レベルをより大きく表示することは適当ではない。
【０００８】
本発明は、ＤＡＢ放送波に、より適した受信信号レベル表示手段を備えたＤＡＢ受信機を提供することを目的としてなされたものである。
【課題を解決するための手段】
【０００９】
本発明のＤＡＢ放送受信機は、受信信号強度を検出する受信信号強度検出手段を備えたチューナと、エラーレート値を検出するエラーレート検出手段を備えたビタビ復号部とを具備し、以下に述べる所定の手段でＤＡＢ受信信号レベルを表示することを特徴とする。
【００１０】
本発明の請求項１に記載の発明は、ＤＡＢ放送受信機において、受信機に入来するＤＡＢ放送波の受信信号強度を検出する受信信号強度検出手段を備えたチューナと、前記チューナにより生成された中間周波数帯の信号を復調するＯＦＤＭ復調部と、前記ＯＦＤＭ復調部により復調された信号のエラーレート値を検出するエラーレート検出手段を備えたビタビ復号部と、前記受信信号強度検出手段で検出された受信信号強度と前記エラーレート検出手段で検出されたエラーレート値とを共に用いて所定の手段で受信信号レベルに変換する制御部とを具備し、前記所定の手段とは、前記エラーレート値がある所定の値を上回る場合には受信信号を妨害波とみなして受信信号無しとし、前記エラーレート値が前記ある所定の値を下回り０となるまでの間は、前記エラーレート値を第１の所定の段階に分割して第１の範囲の受信信号レベルに変換し、前記エラーレート値が０となった場合は、前記受信信号強度を第２の所定の段階に分割して、第１の範囲に続いた第２の範囲の受信信号レベルに変換することを特徴としたとしたものであり、希望のＤＡＢ放送波を受信できているのかどうかを確実に判断でき、かつ地上波であるＤＡＢ放送波に適した受信信号強度を用いてさらに広範囲の受信信号レベルを知ることができるという作用を有する。
【発明の効果】
【００１１】
本発明のＤＡＢ放送受信機は、エラーレート値がある所定の値を上回る場合には受信信号を妨害波とみなして受信信号無しとし、前記エラーレート値が前記ある所定の値を下回り０となるまでの間は、前記エラーレート値を第１の所定の段階に分割して第１の範囲の受信信号レベルに変換し、前記エラーレート値が０となった場合は、前記受信信号強度を第２の所定の段階に分割して、第１の範囲に続いた第２の範囲の受信信号レベルに変換して表示できるため、希望のＤＡＢ放送波を受信できているのかどうかを確実に判断でき、かつ地上波であるＤＡＢ放送波に適した受信信号強度を用いてさらに広範囲の受信信号レベル表示を行うことができるので、ユーザーがＤＡＢ放送波の信号レベルを適切にかつ広範囲に知ることができるという利点がある。
【発明を実施するための最良の形態】
【００１２】
以下、本発明のＤＡＢ放送受信機を実施すための最良の形態について、図１から図３を用いて詳細に説明する。図１は本発明の一実施形態におけるＤＡＢ放送受信機の構成を示すブロック図、図２は同じくその動作例におけるエラーレートから受信信号レベルへの変換方法を示す図、図３は同じくその動作例における受信信号強度から受信信号レベルへの変換方法を示す図である。
【００１３】
図１において、ＤＡＢ放送受信機は、アンテナ１、チューナ部２、ＯＦＤＭ復調部３、ビタビ復号部４、チューナ部２内に構成された受信信号強度検出手段５、ビタビ復号部４内に構成されたエラーレート検出手段６、制御部１１、表示部１２で構成している。
【００１４】
以上のように構成されたＤＡＢ放送受信機について、以下その動作を説明する。図１において、ＤＡＢ放送受信機は、アンテナ１により受信されたＤＡＢ放送波信号がチューナ部２に供給されて、所望の放送受信周波信号が中間周波信号に周波数変換される。そして、この中間周波信号はＯＦＤＭ復調部３に供給されてビットストリームに復調され、ビットストリームは、ビタビ復号部４によりエラー訂正され、エラー訂正されたビットストリームは、図示しないサービス選択部や音声復調部を経て、同じく図示しないスピーカやイヤホンによって聴取できる。
【００１５】
チューナ部２には、受信した所望の放送受信周波信号の受信信号強度を検出する受信信号強度検出手段５が備えられ、制御手段１１はその検出結果である受信信号強度（Ｒｓｓｉ）５−１を得ることができるようにされている。
【００１６】
ここで、一般には受信信号強度としてＡＧＣ出力を用いる例が多いが、本発明においてはＲｓｓｉ（Ｒｅｃｅｉｖｅｄ  Ｓｉｇｎａｌ  Ｓｔｒｅｎｇｔｈ  Ｉｎｄｉｃａｔｏｒ）出力を用いる。なぜならば、発明が解決しようとする課題でも述べたように、欧州ＤＡＢ放送受信機では一般にＡＧＣを多段に構成するため、その出力の直線性に難があるためである。
【００１７】
ビタビ復調部４には、入力されたビットストリームのエラーレート値を検出するエラーレート検出手段６が備えられ、制御手段１１はその検出結果であるエラーレート値６−１を得ることができるようにされている。エラーレート値検出の方法には、例えば、入力ビットストリームとビタビ復号の結果得られたエラー訂正後のビットレートを比較し、その差の割合をエラーレート値６−１とする方法が用いられる。
【００１８】
制御部１１は、上記により得られた受信信号強度５−１とエラーレート値６−１を受信信号レベル１１−１に変換する所定の手段（後述）を備え、変換された受信信号レベル１１−１を表示部１２へ出力する。
【００１９】
以下、受信信号強度５−１とエラーレート値６−１を受信信号レベル１１−１に変換する所定の手段について説明する。まず、エラーレート値６−１（図２ではＲnで表記）により入来信号が希望波か妨害波かを判定する。図２に示すように、エラーレート値６−１がある所定の値（図２ではＲ0で表記）を上回る場合は、例え受信信号強度が高くても、受信信号は妨害波等希望波でないものであると判断し、「信号無」とする。これにより、受信信号レベル１１−１が「信号無」でない場合は、少なくとも希望波であるＤＡＢ放送波を受信していることをユーザーに示すことができる。
【００２０】
次に、エラーレート値６−１が前記ある所定の値Ｒ0を下回り０となるまでの間は、エラーレート値６−１を第１の所定の段階（図２ではｎで表記）に分割して第１の範囲の受信信号レベルに変換する。図２の例で示すと、エラーレート値Ｒ０，Ｒ１，…、Ｒｎ（＝０）の各値をしきい値とし、０（＝最小レベル）、１、…、ｎの第１の範囲の受信信号レベルとする。
【００２１】
これにより、ユーザーにある程度の受信信号レベルを知らせることができるが、一般にエラーレート値はダイナミックレンジが低く、上記第１の所定の段階はあまり大きくすることができない。また、一般にエラーレート値０であれば音声再生には支障はないが、同じエラーレート値０の場合でも、十分余裕を持って受信できているのか、それともノイズ等外来の影響ですぐにエラーレート値が０でなくなるような状態なのかは区別できない。
【００２２】
そこで、さらにエラーレート値が０である範囲では、図３のように、受信信号強度（Ｒｓｓｉ）出力を第２の所定の段階（図３ではｍで表記）に分割して、第１の範囲に続いた第２の範囲の受信信号レベルに変換する。図３の例で示すと、受信信号強度Ｓn+1，Ｓn+2，…、Ｓn+mの各値をしきい値とし、ｎ＋１、ｎ＋２、…、ｎ＋ｍ（＝最大レベル）の第２の範囲の受信信号レベルとする。
【００２３】
ここで、しきい値Ｓn+1，Ｓn+2，…、Ｓn+mの決定方法には、チューナのバラツキ等の影響を防ぐため、例えば工場出荷時に各々ある規定強度のＤＡＢ信号を入力し、その規定強度のＤＡＢ信号に対応する受信信号強度（Ｒｓｓｉ）出力値を各しきい値として記憶させる等の方法が考えられる。
【００２４】
これにより、受信信号レベルをより広範囲にすることができ、同じく音声再生に支障がないような状態でも、ユーザーは十分余裕を持って受信できているのか、そうでないのかを知ることができ、例えばより高い受信レベルを得ることができるようアンテナ方向を調整するといったことが可能である。
【００２５】
表示部１２による表示は、レベルメータを用いてもよく、レベルによって棒グラフの長さを変えて表示してもよく、数字表示をしてもよく、また受信信号レベルによって色を変えて表示をしてもよい。
【００２６】
以上のように本実施形態によれば、希望のＤＡＢ放送波を受信できているのかどうかを確実に判断でき、かつ地上波であるＤＡＢ放送波に適した受信信号強度を用いてさらに広範囲の受信信号レベル表示を行うことができるので、ユーザーがＤＡＢ放送波の信号レベルを適切にかつ広範囲に知ることができるという利点がある。
【産業上の利用可能性】
【００２７】
本発明によれば、簡単な構成により希望のＤＡＢ放送波を受信できているのかどうかを確実に判断でき、かつ地上波であるＤＡＢ放送波に適した受信信号強度を用いてさらに広範囲の受信信号レベル表示を行うことができるので、ユーザーがＤＡＢ放送波の信号レベルを適切にかつ広範囲に知ることができ、産業上の利用可能性は高い。
【図面の簡単な説明】
【００２８】
【図１】本発明の一実施形態におけるＤＡＢ放送受信機の構成を示すブロック図
【図２】同じくその動作例におけるエラーレートから受信信号レベルへの変換方法を示す図
【図３】同じくその動作例における受信信号強度から受信信号レベルへの変換方法を示す図
【符号の説明】
【００２９】
１    アンテナ
２    チューナ
３    ＯＦＤＭ復調部
４    ビタビ復号部
５    受信信号強度検出手段
５−１    受信信号強度（Ｒｓｓｉ）
６    エラーレート検出手段
６−１    エラーレート値
１１    制御部
１１−１    受信信号レベル
１２    表示部
【図１】
2006067186.tif 000003
【図２】
2006067186.tif 000004
【図３】
2006067186.tif 000005